(57)【要約】【課題】天井照明装置の内部の点検作業やメンテナンス作業を容易にできるようにする。【解決手段】天井照明装置１のカバー部３０はその一縁３０aがヒンジ部３１によって回転自在に支持されており、他方の縁３０ｂの近傍に配置されたスプリング係合部３４にはトーションスプリング４１が係合されている。このカバー部３０を開けた場合、該カバー部３０は、前記ヒンジ部３１と前記トーションスプリング４１とによって半開きの状態に保持されるので、作業者が手で支えておく必要はなく、内部の点検作業やメンテナンス作業を容易に行うことができる。【選択図】図１
2015103463.tif 000002
【特許請求の範囲】
【請求項１】
光源と、該光源を覆うように配置されるカバーユニットと、該カバーユニットを支持すると共に天井に取り付けられるベースユニットと、を備えた天井照明装置において、
前記ベースユニットが、
天井に取り付けられるベース部と、
該ベース部に係止される少なくとも１つのコイルスプリング部と、該コイルスプリング部から該コイルスプリング部の軸に対して略直交する方向に立設される立設部と、該立設部に連結されると共に前記コイルスプリング部の軸と略平行な方向に湾曲又は屈曲される曲がり部と、からなり、前記コイルスプリング部によって前記立設部及び前記曲がり部が前記ベース部の側に付勢されるように構成された少なくとも１つのトーションスプリングと、
を備え、
前記カバーユニットが、
前記光源からの光を透過させるように構成されたカバー部と、
該カバー部の一縁と前記ベース部との間に介装されて該カバー部を回転自在に支持するヒンジ部と、
前記ヒンジ部から所定の距離だけ離間した位置で前記カバー部に取り付けられると共に前記トーションスプリングの前記曲がり部に係合され得るように構成されたスプリング係合部と、
を備え、
前記カバー部が、前記ベース部を覆う“閉位置”と、前記曲がり部と前記スプリング係合部との係合により規定される回転位置である“第１開位置”と、を取り得るように構成された、
ことを特徴とする天井照明装置。
【請求項２】
前記コイルスプリング部によって前記ベース部の側に付勢される前記立設部が当接するように前記カバー部に取り付けられて、前記カバー部が前記閉位置から前記第１開位置までの間を回転される際に前記立設部が摺接されるように構成された摺接部、
を備え、
前記コイルスプリング部の付勢力が前記立設部及び前記摺接部を介して前記カバー部に伝達されて該カバー部が前記閉位置の側に付勢されるように構成された、
ことを特徴とする請求項１に記載の天井照明装置。
【請求項３】
前記立設部と前記曲がり部との間に介装されると共に所定の角度に傾斜された傾斜部、
を備え、
該傾斜部と前記摺接部とが係合している場合に前記カバー部の前記閉位置への回転を阻害するように構成された、
ことを特徴とする請求項２に記載の天井照明装置。
【請求項４】
前記トーションスプリングは、２つの前記コイルスプリング部と、該２つのコイルスプリング部のそれぞれに立設された２つの前記立設部と、１つの前記曲がり部と、を有するダブルトーションスプリングである、
ことを特徴とする請求項１乃至３のいずれか１項に記載の天井照明装置。
【請求項５】
前記スプリング係合部は、前記曲がり部を係脱可能とするフック状の部材であり、
前記カバー部は、該スプリング係合部と該曲がり部との係合を外して前記ヒンジ部の回転軸の回りに回転させた位置である“第２開位置”を取り得るように構成された、
ことを特徴とする請求項１乃至４のいずれか１項に記載の天井照明装置。
【請求項６】
前記ヒンジ部は係脱可能に構成された、
ことを特徴とする請求項１乃至５のいずれか１項に記載の天井照明装置。
【請求項７】
前記光源は、ＬＥＤ光源であり、前記カバー部に取り付けられた、
ことを特徴とする請求項１乃至６のいずれか１項に記載の天井照明装置。
【発明の詳細な説明】
【技術分野】
【０００１】
本発明は、光源と、該光源を覆うように配置されるカバーユニットと、該カバーユニットを支持すると共に天井に取り付けられるベースユニットと、を備えた天井照明装置に関する。
【背景技術】
【０００２】
従来、天井照明装置（いわゆるベースライトとかシーリングライトと称されるもの）におけるカバー部の開閉構造については種々の提案がなされている（例えば、特許文献１参照）。
【０００３】
図３は、天井照明装置の従来構造の一例を示す斜視図であり、符号１０４は、天井Ａに取り付けられるベースユニットを示し、符号１０３は、該ベースユニット１０４に着脱自在に取り付けられるカバーユニットを示している。また、該カバーユニット１０４は、光源からの光を透過させる材質又は構造を有するカバー部１３０と、該カバー部１３０に支持された４つのＶ字状のバネ１３２（いわゆるＶバネ、Ｖ型バネなどと称されるバネ）と、を有しており、該バネ１３２の端部が前記ベースユニット１０４に係脱可能となるように構成されている。そして、照明装置内部の点検をしたりメンテナンス作業をしたりする場合には前記カバーユニット１０３を前記ベースユニット１０４から取り外すようになっていた。
【先行技術文献】
【特許文献】
【０００４】
【特許文献１】実開平２−７６４１０号公報
【発明の概要】
【発明が解決しようとする課題】
【０００５】
しかしながら、上述の構成のものでは、照明装置内部の点検等のためには前記カバーユニット１０３を取り外したり取り付けたりしなければならず、その分、作業が煩雑となっていた。
【０００６】
本発明は、上述の問題を解消することのできる天井照明装置を提供することを目的とするものである。
【課題を解決するための手段】
【０００７】
請求項１に係る発明は、図１に例示するものであって、光源（２）と、該光源（２）を覆うように配置されるカバーユニット（３）と、該カバーユニット（３）を支持すると共に天井（Ａ）に取り付けられるベースユニット（４）と、を備えた天井照明装置（１）において、
前記ベースユニット（４）が、
天井に取り付けられるベース部（４０）と、
該ベース部（４０）に係止される少なくとも１つのコイルスプリング部（図２(a) の符号４１ａ参照）と、該コイルスプリング部（４１ａ）から該コイルスプリング部（４１ａ）の軸（Ｃ１）に対して略直交する方向（Ｃ１ｙ）に立設される立設部（４１ｂ）と、該立設部（４１ｂ）に連結されると共に前記コイルスプリング部（４１ａ）の軸（Ｃ１）と略平行な方向（Ｃ１ｘ）に湾曲又は屈曲される曲がり部（４１ｄ）と、からなり、前記コイルスプリング部（４１ａ）によって前記立設部（４１ｂ）及び前記曲がり部（４１ｄ）が前記ベース部（４０）の側に付勢されるように構成された少なくとも１つのトーションスプリング（４１）と、
を備え、
前記カバーユニット（３）が、
前記光源（２）からの光を透過させるように構成されたカバー部（３０）と、
該カバー部（３０）の一縁（３０ａ）と前記ベース部（４０）との間に介装されて該カバー部（３０）を回転自在に支持するヒンジ部（３１）と、
前記ヒンジ部（３１）から所定の距離（Ｂ）だけ離間した位置で前記カバー部（３０）に取り付けられると共に前記トーションスプリング（４１）の前記曲がり部（４１ｄ）に係合され得るように構成されたスプリング係合部（３４）と、
を備え、
前記カバー部（３０）が、前記ベース部（４０）を覆う“閉位置（図２(b) の符号Ｄ１参照）”と、前記曲がり部（４１ｄ）と前記スプリング係合部（３４）との係合により規定される回転位置（図１及び図２(a) の符号Ｄ２参照）である“第１開位置”と、を取り得るように構成されたことを特徴とする。
【０００８】
請求項２に係る発明は、請求項１に係る発明において、前記コイルスプリング部（４１ａ）によって前記ベース部（４０）の側に付勢される前記立設部（４１ｂ）が当接するように前記カバー部（３０）に取り付けられて、前記カバー部（３０）が前記閉位置（Ｄ１）から前記第１開位置（Ｄ２）までの間を回転される際に前記立設部（４１ｂ）が摺接されるように構成された摺接部（図１の符号３５参照）、
を備え、
前記コイルスプリング部（４１ａ）の付勢力が前記立設部（４１ｂ）及び前記摺接部（３５）を介して前記カバー部（３０）に伝達されて該カバー部（３０）が前記閉位置（Ｄ１）の側に付勢されるように構成されたことを特徴とする。
【０００９】
請求項３に係る発明は、請求項２に係る発明において、前記立設部（４１ｂ）と前記曲がり部（４１ｄ）との間に介装されると共に所定の角度に傾斜された傾斜部（４１ｃ）、
を備え、
該傾斜部（４１ｃ）と前記摺接部（３５）とが係合している場合に前記カバー部（３０）の前記閉位置（Ｄ１）への回転を阻害するように構成されたことを特徴とする。
【００１０】
請求項４に係る発明は、請求項１乃至３のいずれか１項に記載の発明において、前記トーションスプリング（４１）は、２つの前記コイルスプリング部（４１ａ）と、該２つのコイルスプリング部（４１ａ）のそれぞれに立設された２つの前記立設部（４１ｂ）と、１つの前記曲がり部（４１ｄ）と、を有するダブルトーションスプリングであることを特徴とする。
【００１１】
請求項５に係る発明は、請求項１乃至４のいずれか１項に記載の発明において、前記スプリング係合部（３４）は、前記曲がり部（４１ｄ）を係脱可能とするフック状の部材であり、
前記カバー部（３０）は、該スプリング係合部（３４）と該曲がり部（４１ｄ）との係合を外して前記ヒンジ部（３１）の回転軸（Ｃ２）の回りに回転させた位置（図１の符号Ｄ３参照）である“第２開位置”を取り得るように構成されたことを特徴とする。
【００１２】
請求項６に係る発明は、請求項１乃至５のいずれか１項に記載の発明において、前記ヒンジ部（３１）は係脱可能に構成されたことを特徴とする。
【００１３】
請求項７に係る発明は、請求項１乃至６のいずれか１項に記載の発明において、前記光源（２）は、ＬＥＤが実装された基板ユニットからなるＬＥＤ光源であり、前記カバー部（３０）に取り付けられたことを特徴とする。
【００１４】
なお、括弧内の番号などは、図面における対応する要素を示す便宜的なものであり、従って、本記述は図面上の記載に限定拘束されるものではない。
【発明の効果】
【００１５】
請求項１，４及び７に係る発明によれば、前記カバー部を完全に取り外してしまわなくても前記第１開位置まで回転させることにより、前記天井照明装置の内部を点検したり必要なメンテナンス作業を行ったりすることができる。
【００１６】
請求項２に係る発明によれば、前記コイルスプリング部の付勢力が前記立設部及び前記摺接部を介して前記カバー部に伝達されて該カバー部が前記閉位置の側に付勢されることとなる。このため、前記カバーユニットを閉じる際に該付勢力が補助力として作用し、該カバーユニットを軽い力で閉じることができる。
【００１７】
請求項３に係る発明によれば、前記カバー部は前記傾斜部によって開いた状態で保持されることとなり、該カバー部を作業者が手で支えておく必要がなく、その分、メンテナンス作業等を容易に行うことができる。
【００１８】
請求項５に係る発明によれば、必要に応じて前記カバー部を大きく開けることができる。
【００１９】
請求項６に係る発明によれば、必要に応じて前記カバー部を前記ベースユニットから取り外すことができる。
【図面の簡単な説明】
【００２０】
【図１】図１は、本発明に係る天井照明装置の構造の一例を示す斜視図である。
【図２】図２(a) は、カバー部が第１開位置にある状態を示す斜視図であり、同図(b) は、カバー部が閉位置にある状態を示す斜視図である。
【図３】図３は、天井照明装置の従来構造の一例を示す斜視図である。
【発明を実施するための形態】
【００２１】
以下、図１及び図２に沿って、本発明の実施の形態について説明する。
【００２２】
本発明に係る天井照明装置は、図１に符号１で例示するように、
・  光源２と、
・  該光源２を覆うように配置されるカバーユニット３と、
・  該カバーユニット３を支持すると共に天井Ａに取り付けられるベースユニット４と、
を備えている。なお、前記光源２としてはＬＥＤ光源や蛍光灯を挙げることができる。
【００２３】
そして、前記ベースユニット４は、図２(a) 及び(b) に詳示するように、
・  天井に取り付けられるベース部４０と、
・  少なくとも１つのトーションスプリング４１と、
を備えており、前記カバーユニット３は、
・  前記光源２からの光を透過させるように構成されたカバー部３０と、
・  該カバー部３０の一縁３０ａ（正確には、該一縁３０ａ又は該一縁３０ａの近傍）と前記ベース部４０との間に介装されて該カバー部３０を回転自在に支持するヒンジ部３１と、
を備えている。上述のトーションスプリング４１は、
・  前記ベース部４０に係止される少なくとも１つのコイルスプリング部４１ａと、
・  該コイルスプリング部４１ａから該コイルスプリング部４１ａの軸Ｃ１に対して略直交する方向Ｃ１ｙに立設される立設部４１ｂと、
・  該立設部４１ｂに連結されると共に前記コイルスプリング部４１ａの軸Ｃ１と略平行な方向Ｃ１ｘに湾曲又は屈曲される曲がり部４１ｄと、
を有していて、前記コイルスプリング部４１ａによって前記立設部４１ｂ及び前記曲がり部４１ｄが前記ベース部４０の側（図２(a) の矢印Ｅ参照）に付勢されるように構成されている。なお、図２(a) 及び(b) に示すトーションスプリング４１は、
・  ２つの前記コイルスプリング部４１ａと、
・  該２つのコイルスプリング部４１ａのそれぞれに立設された２つの前記立設部４１ｂと、
・  １つの前記曲がり部４１ｄと、
からなって前記立設部４１ｂと前記曲がり部４１ｄとが略コ字状に配置されてなるダブルトーションスプリングであるが、１つのコイルスプリング部４１ａと１つの立設部４１ｂと１つの曲がり部４１ｄとからなる構成のものを排除するものではない。また、該トーションスプリングの数は１つでも複数でも良い。さらに、図２(a) (b) に符号４２で示す部材は、前記ベース部４０に取り付けられると共に前記コイルスプリング部４１ａに挿通される部材であって前記トーションスプリング４１の前記ベース部４０からの脱落を防止するための部材であるが、該コイルスプリング部４１ａの回転（軸Ｃ１の回りの自転）及び前記ベース部４０からの脱落を回避できるものであればどのような構成であっても良く、図示の構成に限定されるものではない。
【００２４】
さらに、本発明に係る天井照明装置１は、前記カバー部３０に取り付けられると共に前記トーションスプリング４１の前記曲がり部４１ｄに係合され得るように構成されたスプリング係合部３４を備えている。該スプリング係合部３４は、前記ヒンジ部３１から所定の距離Ｂだけ離間した位置に取り付けられており、好ましくは、前記ヒンジ部３１が配置されている前記一縁３０ａと反対側の縁３０ｂ、又はその近傍に取り付けられている。そして、前記カバー部３０が、
・  前記ベース部４０を覆う位置Ｄ１である“閉位置”と、
・  前記曲がり部４１ｄと前記スプリング係合部３４との係合により規定される回転位置Ｄ２である“第１開位置”と、
を取り得るように構成されている。
【００２５】
なお、前記カバー部３０の平面形状は略矩形状とし、前記トーションスプリング４１は、前記コイルスプリング部４１ａの軸Ｃ１が前記ヒンジ部３１の回転軸Ｃ２と略平行となるように配置しておくと良い。
【００２６】
本発明によれば、前記カバー部３０を完全に取り外してしまわなくても前記第１開位置Ｄ２まで回転させることにより、前記天井照明装置１の内部を点検したり必要なメンテナンス作業を行ったりすることができる。
【００２７】
ところで、上述したように、前記立設部４１ｂは、前記コイルスプリング部４１ａによって前記ベース部４０の側に付勢されるが、該立設部４１ｂが当接される部分（図１の符号３５参照）を前記カバー部３０に取り付けておいても良い。その場合、前記カバー部３０が前記閉位置Ｄ１から前記第１開位置Ｄ２までの間を回転される際に前記立設部４１ｂが該部分（以下、“摺接部”とする）３５に摺接されることとなり、その結果、前記コイルスプリング部４１ａの付勢力が前記立設部４１ｂ及び前記摺接部３５を介して前記カバー部３０に伝達されて該カバー部３０が前記閉位置Ｄ１の側に付勢されることとなる。このため、前記カバーユニット３を閉じる際に該付勢力が補助力として作用し、該カバーユニット３を軽い力で閉じることができる。ＬＥＤ光源を内蔵するタイプの天井照明装置の場合、該光源や電源等は前記ベースユニット４の側ではなく前記カバーユニット３の側に取り付けるタイプのものがあって、その分、該カバーユニット３の重量が大きくなるが、上述のような構成にすることにより該カバーユニット３を軽い力で閉じることができる。
【００２８】
一方、前記立設部４１ｂと前記曲がり部４１ｄとは連続して設けても良いが、該立設部４１ｂと該曲がり部４１ｄとの間に所定の角度に傾斜された傾斜部４１ｃ（或いは、そのような傾斜部４１ｃを有する凹み部）を介装し、該傾斜部４１ｃと前記摺接部３５とが係合されている場合に前記カバー部３０の前記閉位置Ｄ１への回転を阻害するように構成しておいても良い。いま、前記カバー部３０を開ける場合、前記立設部４１ｂは前記摺接部３５を摺動し、該カバー部３０の最大開き位置は、前記曲がり部４１ｄと前記スプリング係合部３４との係合によって前記第１開位置Ｄ２に規定されることとなる。このとき、前記曲がり部４１ｄ及び前記立設部４１ｂは前記カバー部３０を閉じる方向（図２(a) の矢印Ｅ参照）に付勢しているが、前記傾斜部４１ｃが前記摺接部３５に係合されることにより前記カバー部３０の前記閉位置Ｄ１への回転が阻害されることとなり、その開き位置で保持される。このように構成することにより、前記カバー部３０は開いた状態で保持されることとなり、該カバー部３０を作業者が手で支えておく必要がなく、その分、メンテナンス作業等を容易に行うことができる。
【００２９】
ところで、前記スプリング係合部３４は、前記トーションスプリング４１の前記曲がり部４１ｄが外れないような構成にしても良いが、図１に例示するように、該曲がり部４１ｄを係脱可能とするフック状の部材として、前記カバー部３０が、該スプリング係合部３４と該曲がり部４１ｄとの係合を外して前記ヒンジ部３１の回転軸Ｃ２の回りに回転させた位置（図１の符号Ｄ３参照）である“第２開位置”を取り得るように構成すると良い。そのようにした場合には、必要に応じて前記カバー部３０を大きく開けることができる。
【００３０】
さらに、前記ヒンジ部３１も同様であって、公知の蝶番を用いて前記カバー部３０が前記ベース部４０から取り外せないようにしても良いが、係脱可能に（つまり、工具を用いなくてもヒンジ部自体を係脱可能に）構成しても良い。例えば、図１に例示するように、前記ヒンジ部３１を構成する一方の部分（前記カバー部３０に取り付けられた部材の先端部）３１ａをフック状とし、他方の部分３１ｂを、前記ベース部４０に形成された孔部として、
・  前記先端部３１ａが前記孔部３１ｂに係合されている場合には前記ベース部４０が前記カバー部３０を回転自在に支持し、
・  前記先端部３１ａと前記孔部３１ｂとの係合を外した場合には前記カバー部３０の前記一縁３０ａを前記ベース部４０から取り外すことができる、
ように構成すると良い。そのようにした場合には、必要に応じて前記カバー部３０を前記ベースユニット４から取り外すことができる。
【００３１】
また一方、前記光源２をＬＥＤ光源として前記ベースユニット４の側に取り付けても良いが、該ベースユニット４の側にではなく前記カバー部３０に取り付けるようにしても良い。
【符号の説明】
【００３２】
１                    天井照明装置
２                    光源
３                    カバーユニット
４                    ベースユニット
３０                  カバー部
３０ａ                カバー部の一縁
３１                  ヒンジ部
３４                  スプリング係合部
３５                  摺接部
４０                  ベース部
４１                  トーションスプリング
４１ａ                コイルスプリング部
４１ｂ                立設部
４１ｃ                傾斜部
４１ｄ                曲がり部
Ａ                    天井
Ｃ１                  コイルスプリング部の軸
Ｄ１                  閉位置
Ｄ２                  第１開位置
Ｄ３                  第２開位置
【図１】
2015103463.tif 000003
【図２】
2015103463.tif 000004
【図３】
2015103463.tif 000005